(57)【要約】【課題】着用者が金属アレルギーを起こす恐れと腐食や故障の恐れをなくし、衣服型ウェアラブルデバイスの二次電池を簡便に充電する。【解決手段】衣服型ウェアラブルデバイス１００は、衣服１０１に取り付けられた二次電池１２０と、衣服１０１に取り付けられ、ハンガー２００からの電力で二次電池１２０を充電する受電装置１１０と、二次電池１２０の電力で動作する電子機器１４０とを備える。ハンガー２００は、受電装置１１０に非接触で送電する給電部２１０を備える。【選択図】  図９
2016213915.tif 000002
【特許請求の範囲】
【請求項１】
電子機器を備えた衣服型ウェアラブルデバイスと、
前記衣服型ウェアラブルデバイスが吊り下げられたときに前記前記衣服型ウェアラブルデバイスへの電力供給が可能なハンガーとから構成され、
前記衣服型ウェアラブルデバイスは、
衣服に取り付けられた第１の二次電池と、
前記衣服に取り付けられ、前記ハンガーから非接触で送電される電力を受電して前記第１の二次電池を充電する受電手段と、
前記衣服に取り付けられ、前記第１の二次電池に蓄積された電力で動作する電子機器とを備え、
前記ハンガーは、
前記受電手段に非接触で送電することが可能な給電手段を備えることを特徴とするワイヤレス給電システム。
【請求項２】
請求項１に記載のワイヤレス給電システムにおいて、
前記ハンガーは、
さらに、ハンガーに前記衣服型ウェアラブルデバイスが吊り下げられたことを検知する検知手段と、
ハンガーに前記衣服型ウェアラブルデバイスが吊り下げられたことを前記検知手段が検知したときに、前記給電手段から前記受電手段に送電させる制御手段とを備えることを特徴とするワイヤレス給電システム。
【請求項３】
請求項１または２に記載のワイヤレス給電システムにおいて、
前記ハンガーは、さらに前記給電手段に電力を供給するための第１の電源装置を備え、
前記ハンガーの制御手段は、前記第１の電源装置からの電力の供給があり、かつハンガーに前記衣服型ウェアラブルデバイスが吊り下げられているときに、前記第１の電源装置から前記給電手段に電力を供給させて、前記給電手段から前記受電手段に送電させることを特徴とするワイヤレス給電システム。
【請求項４】
請求項３に記載のワイヤレス給電システムにおいて、
前記ハンガーは、さらに第２の二次電池を備え、
前記ハンガーの制御手段は、前記第１の電源装置からの電力の供給があり、かつハンガーに前記衣服型ウェアラブルデバイスが吊り下げられていないときに、前記第１の電源装置からの電力で前記第２の二次電池を充電し、前記第１の電源装置からの電力の供給がなく、かつハンガーに前記衣服型ウェアラブルデバイスが吊り下げられているときに、前記第２の二次電池から前記給電手段に電力を供給させて、前記給電手段から前記受電手段に送電させることを特徴とするワイヤレス給電システム。
【請求項５】
請求項１または２に記載のワイヤレス給電システムにおいて、
前記ハンガーは、さらに発電手段を備え、
前記ハンガーの制御手段は、前記発電手段からの電力の供給があり、かつハンガーに前記衣服型ウェアラブルデバイスが吊り下げられているときに、前記発電手段から前記給電手段に電力を供給させて、前記給電手段から前記受電手段に送電させることを特徴とするワイヤレス給電システム。
【請求項６】
請求項５に記載のワイヤレス給電システムにおいて、
前記ハンガーは、さらに第２の二次電池を備え、
前記ハンガーの制御手段は、前記発電手段からの電力の供給があり、かつハンガーに前記衣服型ウェアラブルデバイスが吊り下げられていないときに、前記発電手段からの電力で前記第２の二次電池を充電し、前記発電手段からの電力の供給がなく、かつハンガーに前記衣服型ウェアラブルデバイスが吊り下げられているときに、前記第２の二次電池から前記給電手段に電力を供給させて、前記給電手段から前記受電手段に送電させることを特徴とするワイヤレス給電システム。
【請求項７】
請求項１乃至４のいずれか１項に記載のワイヤレス給電システムにおいて、
さらに、前記ハンガーを吊り下げることが可能なハンガーラックを備え、
前記ハンガーラックは、
前記ハンガーに電力を供給するための第２の電源装置と、
前記第２の電源装置からの電力を前記ハンガーに供給する電源端子とを備え、
前記ハンガーは、さらに、前記ハンガーラックに吊着されたときに、前記電源端子と接触して、前記第２の電源装置から電力供給を受けるための入力端子を備えることを特徴とするワイヤレス給電システム。
【請求項８】
請求項１乃至７のいずれか１項に記載のワイヤレス給電システムにおいて、
前記ハンガーおよび前記衣服の少なくとも一方は、前記給電手段から前記受電手段への送電に必要な前記ハンガーと前記衣服との位置関係の目安を示す目印を備えることを特徴とするワイヤレス給電システム。
【請求項９】
請求項１乃至８のいずれか１項に記載のワイヤレス給電システムにおいて、
前記衣服は、少なくとも前記第１の二次電池および前記受電手段を着脱可能であることを特徴とするワイヤレス給電システム。
【請求項１０】
請求項１乃至９のいずれか１項に記載のワイヤレス給電システムにおいて、
前記衣服型ウェアラブルデバイスは、
少なくとも前記第１の二次電池および前記受電手段への水分の侵入を防ぐ防水手段とを備えていることを特徴とするワイヤレス給電システム。
【発明の詳細な説明】
【技術分野】
【０００１】
本発明は、電子機器と電子機器への電力供給のための二次電池とを備えた衣服型ウェアラブルデバイスの二次電池の充電を非接触で行うワイヤレス給電システムに関するものである。
【背景技術】
【０００２】
近年、日常生活における生体データを取得するウェアラブルセンサやＬＥＤライト等の携帯型電子機器を備えた衣服型ウェアラブルデバイスが医療やエンターテインメント等の用途に用いられるようになっている。このような衣服型ウェアラブルデバイスに備えられた携帯型電子機器を駆動するためには電源が必要であり、使用後に充電して再利用できる二次電池を携帯型電子機器内に搭載するか、あるいは衣服に備えるというものが一般的である。このような二次電池を使用後に充電する場合には、衣服から携帯型電子機器あるいは二次電池を取り外して、専用の充電器を用いて二次電池を充電し、充電完了後に携帯型電子機器あるいは二次電池を再び衣服に取り付けて使用するというものが一般的である。
【０００３】
このように使用の度に衣服から二次電池や電子機器を着脱する煩雑さを解消するため、二次電池を装着した衣服の肩部内側に端子を設け、この衣服が吊り下げられる位置に充電出力端子を設けたハンガーを用いて、衣服をハンガーに吊り下げることによって二次電池を充電できるようにする技術が提案されている（特許文献１参照）。
【先行技術文献】
【特許文献】
【０００４】
【特許文献１】特開平９−２５９９３３号公報
【発明の概要】
【発明が解決しようとする課題】
【０００５】
しかしながら、特許文献１に示されるような衣服及びハンガーは、金属からなる端子同士を直接接触させて電気的な経路を形成し二次電池を充電するものであり、衣服の内側に金属製の端子が露出することになる。そのため、衣服の端子が着用者の皮膚と触れて着用者が金属アレルギーを起こしたり、衣服の洗濯や雨天時の着用により衣服の端子に水分が付着することで端子の腐食が起こり二次電池の充電ができなくなったり、衣服の端子部から内部の回路に水分が侵入して回路が短絡し携帯型電子機器が故障したりするといった課題があった。
【０００６】
本発明は、上記課題を解決するためになされたもので、着用者が金属アレルギーを起こす恐れがなく、洗濯や雨天の使用によっても腐食や故障を起こさずに、衣服型ウェアラブルデバイスに備えられた二次電池を簡便に充電できるワイヤレス給電システムを提供することを目的とする。
【課題を解決するための手段】
【０００７】
本発明のワイヤレス給電システムは、電子機器を備えた衣服型ウェアラブルデバイスと、前記衣服型ウェアラブルデバイスが吊り下げられたときに前記前記衣服型ウェアラブルデバイスへの電力供給が可能なハンガーとから構成され、前記衣服型ウェアラブルデバイスは、衣服に取り付けられた第１の二次電池と、前記衣服に取り付けられ、前記ハンガーから非接触で送電される電力を受電して前記第１の二次電池を充電する受電手段と、前記衣服に取り付けられ、前記第１の二次電池に蓄積された電力で動作する電子機器とを備え、前記ハンガーは、前記受電手段に非接触で送電することが可能な給電手段を備えることを特徴とするものである。
また、本発明のワイヤレス給電システムの１構成例において、前記ハンガーは、さらに、ハンガーに前記衣服型ウェアラブルデバイスが吊り下げられたことを検知する検知手段と、ハンガーに前記衣服型ウェアラブルデバイスが吊り下げられたことを前記検知手段が検知したときに、前記給電手段から前記受電手段に送電させる制御手段とを備えることを特徴とするものである。
【０００８】
また、本発明のワイヤレス給電システムの１構成例において、前記ハンガーは、さらに前記給電手段に電力を供給するための第１の電源装置を備え、前記ハンガーの制御手段は、前記第１の電源装置からの電力の供給があり、かつハンガーに前記衣服型ウェアラブルデバイスが吊り下げられているときに、前記第１の電源装置から前記給電手段に電力を供給させて、前記給電手段から前記受電手段に送電させることを特徴とするものである。
また、本発明のワイヤレス給電システムの１構成例において、前記ハンガーは、さらに第２の二次電池を備え、前記ハンガーの制御手段は、前記第１の電源装置からの電力の供給があり、かつハンガーに前記衣服型ウェアラブルデバイスが吊り下げられていないときに、前記第１の電源装置からの電力で前記第２の二次電池を充電し、前記第１の電源装置からの電力の供給がなく、かつハンガーに前記衣服型ウェアラブルデバイスが吊り下げられているときに、前記第２の二次電池から前記給電手段に電力を供給させて、前記給電手段から前記受電手段に送電させることを特徴とするものである。
【０００９】
また、本発明のワイヤレス給電システムの１構成例において、前記ハンガーは、さらに発電手段を備え、前記ハンガーの制御手段は、前記発電手段からの電力の供給があり、かつハンガーに前記衣服型ウェアラブルデバイスが吊り下げられているときに、前記発電手段から前記給電手段に電力を供給させて、前記給電手段から前記受電手段に送電させることを特徴とするものである。
また、本発明のワイヤレス給電システムの１構成例において、前記ハンガーは、さらに第２の二次電池を備え、前記ハンガーの制御手段は、前記発電手段からの電力の供給があり、かつハンガーに前記衣服型ウェアラブルデバイスが吊り下げられていないときに、前記発電手段からの電力で前記第２の二次電池を充電し、前記発電手段からの電力の供給がなく、かつハンガーに前記衣服型ウェアラブルデバイスが吊り下げられているときに、前記第２の二次電池から前記給電手段に電力を供給させて、前記給電手段から前記受電手段に送電させることを特徴とするものである。
【００１０】
また、本発明のワイヤレス給電システムの１構成例は、さらに、前記ハンガーを吊り下げることが可能なハンガーラックを備え、前記ハンガーラックは、前記ハンガーに電力を供給するための第２の電源装置と、前記第２の電源装置からの電力を前記ハンガーに供給する電源端子とを備え、前記ハンガーは、さらに、前記ハンガーラックに吊着されたときに、前記電源端子と接触して、前記第２の電源装置から電力供給を受けるための入力端子を備えることを特徴とするものである。
また、本発明のワイヤレス給電システムの１構成例において、前記ハンガーおよび前記衣服の少なくとも一方は、前記給電手段から前記受電手段への送電に必要な前記ハンガーと前記衣服との位置関係の目安を示す目印を備えることを特徴とするものである。
また、本発明のワイヤレス給電システムの１構成例において、前記衣服は、少なくとも前記第１の二次電池および前記受電手段を着脱可能である。
また、本発明のワイヤレス給電システムの１構成例において、前記衣服型ウェアラブルデバイスは、少なくとも前記第１の二次電池および前記受電手段への水分の侵入を防ぐ防水手段とを備えていることを特徴とするものである。
【発明の効果】
【００１１】
本発明によれば、衣服型ウェアラブルデバイスに、第１の二次電池と、ハンガーから非接触で送電される電力を受電して第１の二次電池を充電する受電手段とを設け、ハンガーに、受電手段に非接触で送電することが可能な給電手段を設けることにより、ハンガーの給電手段から衣服型ウェアラブルデバイスの受電手段に送電させることができ、金属コネクタを介さずに非接触で衣服型ウェアラブルデバイスの第１の二次電池を充電することができるので、衣服に金属部分が露出することがなく、着用者に金属アレルギーが起こる恐れをなくすことができる。また、第１の二次電池および受電手段を衣服に装着したまま衣服を洗濯したり、衣服型ウェアラブルデバイスを雨天で使用したりしても、衣服型ウェアラブルデバイスの金属部分が腐食や故障を起こす恐れをなくすことができる。
【００１２】
また、本発明では、ハンガーに衣服型ウェアラブルデバイスが吊り下げられたことを検知する検知手段と、制御手段とを設けることにより、ハンガーに衣服型ウェアラブルデバイスが吊り下げられたときに、ハンガーの給電手段から衣服型ウェアラブルデバイスの受電手段に送電させることができる。
【００１３】
また、本発明では、ハンガーに第１の電源装置を設けることにより、第１の電源装置からの電力の供給があり、かつハンガーに衣服型ウェアラブルデバイスが吊り下げられているときに、第１の電源装置から給電手段に電力を供給させて、給電手段から衣服型ウェアラブルデバイスの受電手段に送電させることができるので、商用電源等が得られる場所であれば、ハンガーを移動させて衣服型ウェアラブルデバイスの第１の二次電池を充電することができる。
【００１４】
また、本発明では、ハンガーに第１の電源装置に加えて、第２の二次電池を設けることにより、第２の二次電池からハンガーの給電手段に電力を供給させて、給電手段から衣服型ウェアラブルデバイスの受電手段に送電させることができるので、ハンガーに衣服型ウェアラブルデバイスを吊り下げるときに商用電源等が得られる場所に移動することが不可能であっても、商用電源等が得られる場所に移動することが可能なときに第２の二次電池をあらかじめ充電しておけば、ハンガーに衣服型ウェアラブルデバイスを吊り下げるときには任意の場所で衣服型ウェアラブルデバイスの第１の二次電池を充電することができる。
【００１５】
また、本発明では、ハンガーに発電手段を設けることにより、発電手段からの電力の供給があり、かつハンガーに衣服型ウェアラブルデバイスが吊り下げられているときに、発電手段からハンガーの給電手段に電力を供給させて、給電手段から衣服型ウェアラブルデバイスの受電手段に送電させることができるので、発電が可能な任意の場所で衣服型ウェアラブルデバイスの第１の二次電池を充電することができる。
【００１６】
また、本発明では、ハンガーに発電手段に加えて、第２の二次電池を設けることにより、第２の二次電池からハンガーの給電手段に電力を供給させて、給電手段から衣服型ウェアラブルデバイスの受電手段に送電させることができるので、ハンガーに衣服型ウェアラブルデバイスを吊り下げるときに発電手段での発電が不可能であっても、発電手段での発電が可能なときに第２の二次電池をあらかじめ充電しておけば、ハンガーに衣服型ウェアラブルデバイスを吊り下げるときには任意の場所で衣服型ウェアラブルデバイスの第１の二次電池を充電することができる。
【００１７】
また、本発明では、ハンガーを吊り下げることが可能なハンガーラックに、ハンガーに電力を供給するための第２の電源装置と、第２の電源装置からの電力をハンガーに供給する電源端子とを設け、ハンガーラックに吊着されたときに、電源端子と接触して、第２の電源装置から電力供給を受けるための入力端子をハンガーに設けることにより、ハンガーラックにハンガーを吊着することで衣服型ウェアラブルデバイスの第１の二次電池を充電することができる。
【００１８】
また、本発明では、ハンガーおよび衣服の少なくとも一方に、給電手段から受電手段への送電に必要なハンガーと衣服との位置関係の目安を示す目印を設けることにより、ハンガーに衣服型ウェアラブルデバイスを吊り下げるときに、送受電効率が高くなるようハンガーの給電手段と衣服型ウェアラブルデバイスの受電手段とを簡便に位置合わせすることが可能となる。
【００１９】
また、本発明では、少なくとも第１の二次電池および受電手段を衣服から着脱可能とすることにより、衣服を着用できなくなったときに、第１の二次電池および受電手段を衣服から取り外し、衣服のみ新しいものに取り替えて第１の二次電池および受電手段を装着し、使用を継続することができる。
【００２０】
また、本発明では、衣服型ウェアラブルデバイスに防水手段を設けることにより、衣服に金属部分が露出することがなく、着用者に金属アレルギーが起こる恐れをなくすことができる。また、防水手段が第１の二次電池および受電手段への水分の侵入を防ぐので、第１の二次電池および受電手段を衣服に装着したまま衣服を洗濯したり、衣服型ウェアラブルデバイスを雨天で使用したりしても、衣服型ウェアラブルデバイスの金属部分が腐食や故障を起こす恐れをなくすことができる。
【図面の簡単な説明】
【００２１】
【図１】本発明の第１の実施の形態に係る衣服型ウェアラブルデバイスの構成を説明する外観図である。
【図２】本発明の第１の実施の形態に係る衣服型ウェアラブルデバイスの構成を説明する断面図である。
【図３】本発明の第１の実施の形態に係る衣服型ウェアラブルデバイスの別の構成を説明する外観図である。
【図４】本発明の第１の実施の形態に係る衣服型ウェアラブルデバイスの受電装置の構成例を示すブロック図である。
【図５】本発明の第１の実施の形態に係る衣服型ウェアラブルデバイスの二次電池側のコネクタ部分の斜視図である。
【図６】本発明の第１の実施の形態に係るハンガーの構成を説明する外観図である。
【図７】本発明の第１の実施の形態に係るハンガーの別の構成を説明する外観図である。
【図８】本発明の第１の実施の形態に係るハンガーの電源装置の構成例を示すブロック図である。
【図９】本発明の第１の実施の形態に係る衣服型ウェアラブルデバイスをハンガーに掛けたときの様子を示す模式図である。
【図１０】本発明の第１の実施の形態における電力供給の処理を説明するフローチャートである。
【図１１】本発明の第２の実施の形態に係るハンガーラックの構成を説明する外観図である。
【図１２】本発明の第２の実施の形態に係るハンガーの構成を説明する外観図である。
【図１３】本発明の第２の実施の形態における電力供給の処理を説明するフローチャートである。
【図１４】本発明の第３の実施の形態に係るハンガーの構成を説明する外観図である。
【図１５】本発明の第３の実施の形態における電力供給の処理を説明するフローチャートである。
【発明を実施するための形態】
【００２２】
以下、好適な実施の形態について図を参照して本発明を説明するが、本発明はかかる実施の形態に限定されない。
【００２３】
［第１の実施の形態］
図１は本発明の第１の実施の形態に係る衣服型ウェアラブルデバイス１００の構成を説明する外観図、図２は衣服型ウェアラブルデバイス１００の断面図である。なお、図１では、構成を分かり易くするため、受電装置のコイルが衣服の裏側（着用者の体と接触する側）に露出しているように記載しているが、実際には後述のように樹脂製の防水層で覆われているため、受電装置が露出することはない。
【００２４】
本実施の形態の衣服型ウェアラブルデバイス１００は、衣服１０１と、衣服１０１に取り付けられ、後述するハンガーから非接触で送電される電力を受電する受電装置１１０と、衣服１０１に取り付けられ、受電装置１１０で受電した電力で充電される二次電池１２０と、受電装置１１０と二次電池１２０とを被覆して水分の侵入を防ぐ防水層１３０と、衣服１０１に着脱自在に取り付けられ、二次電池１２０に蓄積された電力で動作する携帯型電子機器１４０とから構成される。
【００２５】
衣服型ウェアラブルデバイス１００に使用される衣服１０１としては、一般に着用される衣服を特に制限なく用いることができる。本実施の形態では、シャツ型の衣服１０１を用いているが、これに限らず、図３に示すようにズボン等の、下半身に身に付ける衣服１０１を用いるようにしてもよい。つまり、携帯型電子機器１４０の用途に応じて、図１に示した上半身用の衣服１０１と図３に示した下半身用の衣服１０１のうちどちらかを適宜選択すればよい。
【００２６】
図４は受電装置１１０の構成例を示すブロック図である。受電装置１１０は、電磁誘導現象や電磁界共鳴現象を用いた既知のワイヤレス給電システムの受電装置、具体的にはコイルやコンデンサ等の素子で形成される受電回路１１１と、この受電回路１１１で受電した電力で二次電池１２０を充電する充電回路１１２と、受電装置全体を制御する制御部１１３とから構成される。衣服１０１の柔軟性を損なわないよう、受電装置１１０の回路はフレキシブル基板上に形成されることが望ましい。
【００２７】
受電装置１１０を取り付ける位置は、衣服１０１上であれば背側、前側、表側、裏側等特に限定されない。図１〜図３に示した例では、衣服１０１の裏側に受電装置１１０を取り付ける例を示している。ただし、後述する充電用のハンガーに衣服１０１を吊り下げたときに受電装置１１０と充電用ハンガーの給電部との位置合わせがしやすいように、衣服１０１の充電用ハンガーに掛ける部位に近い場所に受電装置１１０を設けることが望ましい。
【００２８】
二次電池１２０としては、水系電解質、非水系電解質、高分子個体電解質などを用いた既知の二次電池を用いることができるが、衣服１０１の柔軟性を損なわないよう、高分子固体電解質を用いた、フィルム状で柔軟性に富むリチウム二次電池やリチウムイオン二次電池を特に好適に用いることができる。また、二次電池１２０は、過充電・過放電等による発熱等の不具合を防止するため、電池の電圧や温度を監視して、異常時に電池の充放電を停止する図示しない保護回路を含んでいてもよい。
【００２９】
図２に示すように、受電装置１１０と二次電池１２０とは、防水層１３０によって覆われている。この防水層１３０としては、シリコーンラバーやＰＥＴ（ポリエチエンテレフタレート）フィルム等の、柔軟性があって水分を透過させない樹脂材料を用いることができる。
【００３０】
ここで、衣服１０１の着用者身体１０と接触する側（図２の上側）に防水層１３０が取り付けられた場合、着用者に違和感を与えないよう、防水層１３０の少なくとも着用者身体１０と接触する側の表面を、布素材で被覆するとよい。この布素材としては、綿・ポリエステル等の一般の布帛を用いることができ、接着剤で防水層１３０の表面に取り付けることができる。
【００３１】
防水層１３０は、縫い付け、接着剤による接着、あるいは外周部をテープ止めするなどの手法で衣服１０１に取り付けることができる。ただし、防水層１３０および内部の受電装置１１０、二次電池１２０の破損を防止するため、図２に示すように、防水層１３０が接着剤によって固定補助布１７０に取り付けられ、固定補助布１７０を衣服１０１に対して縫い付け、接着、テープ止め等の手法により固定することが望ましい。
【００３２】
また、防水層１３０又はこの防水層１３０が取り付けられた固定補助布１７０と、衣服１０１の固定部位のそれぞれに、互いに係合する関係にある線ファスナーや面ファスナー、ボタン、フック等の係合部材を設けるようにしてもよい。これにより、受電装置１１０と二次電池１２０とを含む防水層１３０又は防水層１３０が取り付けられた固定補助布１７０は、衣服１０１に対して着脱可能となる。
【００３３】
汚損や着用者の成長に伴って衣服１０１が着用できなくなったときには、防水層１３０又は防水層１３０が取り付けられた固定補助布１７０を衣服１０１から取り外し、別の衣服１０１に付け替えるようにすればよい。防水層１３０又は固定補助布１７０を衣服１０１に取り付けるためには、防水層１３０又は固定補助布１７０の係合部材が配置された面と衣服１０１の係合部材が配置された面とを向かい合わせて、防水層１３０又は固定補助布１７０の係合部材と衣服１０１の係合部材とを係合させるようにすればよい。
【００３４】
このように、防水層１３０又は固定補助布１７０を衣服１０１に対して着脱可能とすることは、衣服型ウェアラブルデバイス１００の要部である受電装置１１０と二次電池１２０とを継続使用できることになるため望ましい。
【００３５】
なお、電磁誘導現象や電磁界共鳴現象を用いたワイヤレス給電システムにおいて電力の伝送に用いる電磁界は、周囲の電子機器への妨害や人体防護の観点から、周囲電磁界強度の規制が、法律やガイドラインにより各国で行われている。そのため、外部への電磁界の漏れ出しを低減するために、衣服型ウェアラブルデバイス１００は、図２に示すように、受電装置１１０の着用者身体１０と反対側の面を覆う電磁シールド部１６０を備えると良い。このような電磁シールド部１６０としては、パーマロイやソフトフェライト等の軟磁性金属を表面にメッキしたＰＥＴフィルムやポリエステル布等を好適に用いることができる。
【００３６】
携帯型電子機器１４０としては、特に限定されず、二次電池１２０に蓄えられた電力で駆動できる通信端末、例えば体温や心拍、歩数などを計測するための各種センサ、ディスプレイ等を特に制限無く用いることができる。
【００３７】
コネクタ１５０は、携帯型電子機器１４０と二次電池１２０とを電気的に接続するためのものであり、図２に示すように防水層１３０の中に埋め込まれており、二次電池１２０と電気的に接続された金属製の端子が防水層１３０の表面に露出するようになっている。携帯型電子機器１４０の電源ケーブルに設けられたコネクタをコネクタ１５０と嵌合させることにより、携帯型電子機器１４０と二次電池１２０とを電気的に接続することができる。
【００３８】
なお、本実施の形態の例では、携帯型電子機器１４０も衣服１０１に対して着脱可能とするため、防水層１３０や固定補助布１７０の場合と同様に、携帯型電子機器１４０と衣服１０１の固定部位のそれぞれに、互いに係合する関係にある線ファスナーや面ファスナー、ボタン、フック等の係合部材が設けられている。携帯型電子機器１４０を衣服１０１に取り付けるためには、携帯型電子機器１４０の係合部材が配置された面と衣服１０１の係合部材が配置された面とを向かい合わせて、携帯型電子機器１４０の係合部材と衣服１０１の係合部材とを係合させるようにすればよい。
【００３９】
また、防水層１３０内部への水分の侵入を防ぐため、図５（Ａ）に示すようにコネクタ１５０に開閉式の蓋１８０を設けるようにし、携帯型電子機器１４０と二次電池１２０とを接続しないときは、図５（Ｂ）に示すように蓋１８０を閉めるようにするとよい。図５（Ａ）に示す１９０は二次電池１２０と電気的に接続された、コネクタ１５０の金属製の端子である。
【００４０】
また、本実施の形態では、二次電池１２０と携帯型電子機器１４０とが防水層１３０に設けられたコネクタ１５０を介して接続されるようにしたが、コネクタ１５０を設けずに、二次電池１２０と携帯型電子機器１４０とを電気的に接続し、これら二次電池１２０と携帯型電子機器１４０と受電装置１１０とを一体的に防水層１３０の内部に設けるようにしてもよい。
【００４１】
次に、二次電池１２０を充電するためのハンガー２００について説明する。図６はハンガー２００の構成を説明する外観図である。ハンガー２００は、衣服型ウェアラブルデバイス１００に備えられた受電装置１１０に非接触で送電することが可能な給電部２１０と、ハンガー２００に衣服型ウェアラブルデバイス１００が掛けられたことを検知する検知部２２０と、給電部２１０に電力を供給すると共に、後述する二次電池２５０を充電するための電源装置２３０と、この電源装置２３０に商用電源等の電力を供給するための電源プラグ２４０と、電源装置２３０から供給される電力を蓄積し、電源装置２３０からの電力の供給がないときに給電部２１０へ電力を供給するための二次電池２５０と、給電部２１０から受電装置１１０への送電に必要なハンガー２００と衣服１０１との位置関係の目安を示す目印であるマーカー２６０とを備えている。
【００４２】
ハンガー２００としては、一般に衣服を吊り下げるために用いられるハンガーを特に制限なく用いることができる。本実施の形態では、衣服１０１の形態に合わせ、シャツ等の上半身に身につける衣服１０１を吊り下げるためのハンガー２００を用いているが、これに限らず、衣服１０１がズボン等の、下半身に身に付ける衣服であれば、図７に示すようにズボン等用のハンガー２００を用いてよい。
【００４３】
給電部２１０としては、電磁誘導現象や電磁界共鳴現象を用いた既知のワイヤレス給電システムの給電装置、具体的にはコイルやコンデンサ等の素子で形成される回路を用いることができる。
【００４４】
検知部２２０としては、衣服１０１が掛けられたときに衣服１０１の重量によって押下された状態となるスイッチや、光の反射で物体の有無を検知する反射型フォトインタラプタ等を用いることができる。検知部２２０による検知結果は、電源装置２３０の後述する制御部に通知される。
【００４５】
図８は電源装置２３０の構成例を示すブロック図である。電源装置２３０は、給電部２１０に電力を供給すると共に、二次電池２５０を充電するための電源回路２３１と、電源装置全体を制御する制御部２３２とから構成される。
【００４６】
二次電池２５０としては、水系電解質、非水系電解質、高分子個体電解質などを用いた既知の二次電池を特に制限なく用いることができる。
マーカー２６０としては、衣服型ウェアラブルデバイス１００をハンガー２００に掛けるときに位置合わせの目印となるデザイン、模様、形状を特に制限なく用いることができる。本実施の形態では、衣服１０１の襟の部分に対応するようハンガー２００にマーカー２６０を設けておく。図９に示すように、衣服１０１の襟の部分がマーカー２６０の位置と合うように衣服型ウェアラブルデバイス１００をハンガー２００に掛けると、衣服型ウェアラブルデバイス１００の受電装置１１０とハンガー２００の給電部２１０との間の送受電効率が最大となる。
【００４７】
ただし、マーカー２６０は図６、図９に示した例に限るものではない。また、例えば衣服型ウェアラブルデバイス１００に、ハンガー２００の中心位置を示すラインを設けるなど、衣服型ウェアラブルデバイス１００側にマーカーを設けてもよいし、衣服型ウェアラブルデバイス１００とハンガー２００の両方にマーカーを設けてもよい。
【００４８】
次に、本実施の形態の電力供給の処理を図１０のフローチャートを用いて説明する。まず、ハンガー２００の電源装置２３０の制御部２３２は、電源プラグ２４０から電力供給されているかを判定する（図１０ステップ３１０）。
【００４９】
制御部２３２は、電源プラグ２４０から電力供給されている場合（ステップ３１０においてＹｅｓ）、検知部２２０で衣服型ウェアラブルデバイス１００が検知されているかを判定する（図１０ステップ３２０）。
【００５０】
制御部２３２は、検知部２２０が衣服型ウェアラブルデバイス１００の存在を検知している場合（ステップ３２０においてＹｅｓ）、電源プラグ２４０を介して商用電源等から得た電力を給電部２１０に供給するよう電源回路２３１を制御する（図１０ステップ３３０）。このとき、電源回路２３１は、商用電源電圧を適宜変換して、給電部２１０に適した仕様の電圧を与える。
【００５１】
こうして、給電部２１０に電力が供給されることにより、給電部２１０から衣服型ウェアラブルデバイス１００の受電装置１１０に非接触で電力が送電され、受電装置１１０で受電した電力で衣服型ウェアラブルデバイス１００の二次電池１２０が充電されることになる。このとき、受電装置１１０の充電回路１１２は、給電部２１０からの給電によって受電回路１１１で得られた電圧を適宜変換して、二次電池１２０に適した仕様の電圧を与えるようにしてもよい。
【００５２】
受電装置１１０の制御部１１３は、二次電池１２０が満充電になったとき、二次電池１２０が満充電になったことをハンガー２００の電源装置２３０に通知する。例えば電磁界共鳴方式の場合、受電装置１１０側で共振のＱ値を変化させると、受電装置１１０と給電部２１０との間の電力の送受電効率が変化するので、電源装置２３０の電源回路２３１から給電部２１０を見たときの負荷インピーダンスが変化する。
【００５３】
そこで、受電装置１１０の制御部１１３は、二次電池１２０が満充電になったときに、受電装置１１０の受電回路１１１（共振回路）のコイルのインダクタンスまたはコンデンサのキャパシタンスを変化させることで、共振のＱ値を変化させ、二次電池１２０が満充電になったことを通知する。電源装置２３０の制御部２３２は、電源回路２３１から給電部２１０を見たときの負荷インピーダンスが変化したとき、衣服型ウェアラブルデバイス１００の二次電池１２０が満充電になったと判定して（図１０ステップ３８０においてＹｅｓ）、給電部２１０への電力供給を停止するよう電源回路２３１を制御する。二次電池１２０が満充電になっていないときは、ステップ３１０に戻る。
【００５４】
一方、電源装置２３０の制御部２３２は、検知部２２０で衣服型ウェアラブルデバイス１００の存在が検知されていない場合（ステップ３２０においてＮｏ）、電源プラグ２４０を介して商用電源等から得た電力で二次電池２５０を充電するよう電源回路２３１を制御する（図１０ステップ３４０）。このとき、電源回路２３１は、商用電源の電圧を適宜変換して、二次電池２５０に適した仕様の電圧を与える。
【００５５】
制御部２３２は、二次電池２５０が満充電になったとき（図１０ステップ３９０においてＹｅｓ）、二次電池２５０の充電を停止させる。二次電池２５０が満充電になっていないときは、ステップ３１０に戻る。
【００５６】
また、制御部２３２は、電源プラグ２４０から電力供給されていない場合（ステップ３１０においてＮｏ）、検知部２２０で衣服型ウェアラブルデバイス１００が検知されているかを判定する（図１０ステップ３５０）。なお、この場合、電源プラグ２４０から電力供給されていないのであるから、電源装置２３０は、二次電池２５０に蓄積されている電力で動作することになる。
【００５７】
制御部２３２は、検知部２２０が衣服型ウェアラブルデバイス１００の存在を検知している場合（ステップ３５０においてＹｅｓ）、衣服型ウェアラブルデバイス１００への給電に十分な電力が二次電池２５０に蓄積されているかを判定する（図１０ステップ３６０）。検知部２２０で衣服型ウェアラブルデバイス１００の存在が検知されていない場合には、ステップ３１０に戻る。
【００５８】
制御部２３２は、衣服型ウェアラブルデバイス１００への給電に十分な電力が二次電池２５０に蓄積されている場合（ステップ３６０においてＹｅｓ）、二次電池２５０に蓄積された電力を給電部２１０に供給するよう電源回路２３１を制御する（図１０ステップ３７０）。このとき、電源回路２３１は、二次電池２５０の電圧を適宜変換して、給電部２１０に適した仕様の電圧を与えるようにしてもよい。
【００５９】
こうして、給電部２１０に電力が供給されることにより、給電部２１０から衣服型ウェアラブルデバイス１００の受電装置１１０に非接触で電力が送電され、受電装置１１０で受電した電力で衣服型ウェアラブルデバイス１００の二次電池１２０が充電される。
【００６０】
電源装置２３０の制御部２３２は、衣服型ウェアラブルデバイス１００の二次電池１２０が満充電になったかどうかを判定するが（ステップ３８０）、このステップ３８０の処理は上記の説明のとおりである。また、ステップ３６０において二次電池２５０に十分な電力が蓄積されていない場合には、ステップ３１０に戻る。
【００６１】
以上のような電力供給の処理により、本実施の形態では、商用電源を利用可能かつ衣服型ウェアラブルデバイス１００がハンガー２００に吊り下げられている場合は、商用電源からの電力で二次電池１２０を充電することができ、商用電源を利用可能かつ衣服型ウェアラブルデバイス１００がハンガー２００に吊り下げられていない場合は、商用電源からの電力で二次電池２５０を充電することができ、商用電源が利用不可かつ衣服型ウェアラブルデバイス１００がハンガー２００に吊り下げられており、二次電池２５０に電力が蓄積されている場合は、二次電池２５０からの電力で二次電池１２０を充電することができる。
【００６２】
本実施の形態では、衣服１０１に金属部分が露出することがなく、着用者に金属アレルギーが起こる恐れをなくすことができる。また、防水層１３０が受電装置１１０および二次電池１２０への水分の侵入を防ぐので、受電装置１１０および二次電池１２０を衣服１０１に装着したまま衣服を洗濯したり、衣服型ウェアラブルデバイス１００を雨天で使用したりしても、衣服型ウェアラブルデバイス１００の金属部分が腐食や故障を起こす恐れをなくすことができる。
【００６３】
なお、本実施の形態では、衣服型ウェアラブルデバイス１００に設けられた防水層１３０が、着用者身体１０と受電装置１１０および二次電池１２０との接触を防ぎ、また受電装置１１０および二次電池１２０への水分の侵入を防ぐようになっているが、本発明において防水層１３０は必須の構成要件ではない。すなわち、受電装置１１０、二次電池１２０、コネクタ１５０、携帯型電子機器１４０の各々が、着用者身体１０と接触する表面に金属部分が露出しない構造を有し、また水分の侵入を防ぐ防水構造を備えていれば、防水層１３０を設ける必要はない。
【００６４】
［第２の実施の形態］
次に、本発明の第２の実施の形態について説明する。図１１は本発明の第２の実施の形態に係るハンガーラック４００の構成を説明する外観図、図１２はハンガー５００の構成を説明する外観図である。衣服型ウェアラブルデバイス１００については、第１の実施の形態と同等のものを用いることができるので、図１〜図４の符号を用いて説明する。
【００６５】
本実施の形態のハンガーラック４００は、ハンガー５００が吊着される位置に設けられた電源端子４３０ａ，４３０ｂと、電源端子４３０ａ，４３０ｂに電力を供給するための電源装置４１０と、この電源装置４１０に商用電源等の電力を供給するための電源プラグ４２０とを備えている。
【００６６】
ハンガー５００は、衣服型ウェアラブルデバイス１００に備えられた受電装置１１０に非接触で送電することが可能な給電部５１０と、ハンガー５００に衣服型ウェアラブルデバイス１００が掛けられたことを検知する検知部５２０と、ハンガー５００がハンガーラック４００に吊着されたときに、電源端子４３０ａ，４３０ｂとそれぞれ接触する入力端子５５０ａ，５５０ｂと、給電部５１０に電力を供給すると共に、後述する二次電池２５０を充電するための電源装置５３０と、電源装置５３０から供給される電力を蓄積し、電源装置５３０からの電力の供給がないときに給電部５１０へ電力を供給するための二次電池５４０と、給電部５１０から受電装置１１０への送電に必要なハンガー５００と衣服１０１との位置関係の目安を示す目印であるマーカー５５０とを備えている。
【００６７】
第１の実施の形態の図９と同様に、衣服型ウェアラブルデバイス１００をハンガー５００に掛けると、ハンガー５００から衣服型ウェアラブルデバイス１００に電力を供給することが可能になる。
二次電池５４０としては、水系電解質、非水系電解質、高分子個体電解質などを用いた既知の二次電池を特に制限なく用いることができる。
【００６８】
次に、本実施の形態の電力供給の処理を図１３のフローチャートを用いて説明する。本実施の形態においても、電源装置５３０の構成は、第１の実施の形態の電源装置２３０と同様であるので、図８の符号を用いて説明する。
【００６９】
まず、ハンガー５００の電源装置５３０の制御部２３２は、ハンガー５００がハンガーラック４００に吊着されているかを判定する（図１３ステップ６１０）。ハンガーラック４００の電源装置４１０は、電源プラグ４２０を介して供給される商用電源電圧を適当な電源電圧に変換して、電源端子４３０ａ，４３０ｂに供給する。したがって、ハンガー５００がハンガーラック４００に吊着されていると、ハンガーラック４００の電源端子４３０ａ，４３０ｂとハンガー５００の入力端子５５０ａ，５５０ｂとが接触して、電源装置５３０に電源電圧が供給される。制御部２３２は、入力端子５５０ａ，５５０ｂを介して電源電圧の供給を受けると、ハンガー５００がハンガーラック４００に吊着されていると判定する。
【００７０】
制御部２３２は、ハンガー５００がハンガーラック４００に吊着されている場合（ステップ６１０においてＹｅｓ）、検知部５２０で衣服型ウェアラブルデバイス１００が検知されているかを判定する（図１３ステップ６２０）。検知部５２０の構成は、第１の実施の形態の検知部２２０と同様である。
【００７１】
制御部２３２は、検知部５２０が衣服型ウェアラブルデバイス１００の存在を検知している場合（ステップ６２０においてＹｅｓ）、入力端子５５０ａ，５５０ｂを介してハンガーラック４００から得た電力を給電部５１０に供給するよう電源装置５３０の電源回路２３１を制御する（図１３ステップ６３０）。このとき、電源回路２３１は、ハンガーラック４００から供給される電源電圧を適宜変換して、給電部５１０に適した仕様の電圧を与えるようにしてもよい。
【００７２】
こうして、給電部５１０に電力が供給されることにより、給電部５１０から衣服型ウェアラブルデバイス１００の受電装置１１０に非接触で電力が送電され、受電装置１１０で受電した電力で衣服型ウェアラブルデバイス１００の二次電池１２０が充電される。第１の実施の形態で説明したとおり、受電装置１１０の充電回路１１２は、給電部５１０からの給電によって受電回路１１１で得られた電圧を適宜変換して、二次電池１２０に適した仕様の電圧を与えるようにしてもよい。
【００７３】
電源装置５３０の制御部２３２は、衣服型ウェアラブルデバイス１００の二次電池１２０が満充電になったかどうかを判定し（図１３ステップ６８０）、二次電池１２０が満充電になったとき、給電部５１０への電力供給を停止するよう電源装置５３０の電源回路２３１を制御する。このステップ６８０の処理は図１０のステップ３８０と同じである。二次電池１２０が満充電になっていないときは、ステップ６１０に戻る。
【００７４】
一方、制御部２３２は、検知部５２０で衣服型ウェアラブルデバイス１００の存在が検知されていない場合（ステップ６２０においてＮｏ）、入力端子５５０ａ，５５０ｂを介してハンガーラック４００から得た電力で二次電池５４０を充電するよう電源装置５３０の電源回路２３１を制御する（図１３ステップ６４０）。このとき、電源回路２３１は、ハンガーラック４００から供給される電源電圧を適宜変換して、二次電池５４０に適した仕様の電圧を与えるようにしてもよい。
【００７５】
制御部２３２は、二次電池５４０が満充電になったとき（図１３ステップ６９０においてＹｅｓ）、二次電池５４０の充電を停止させる。二次電池５４０が満充電になっていないときは、ステップ６１０に戻る。
【００７６】
また、制御部２３２は、入力端子５５０ａ，５５０ｂを介した電源電圧の供給がなく、ハンガー５００がハンガーラック４００に吊着されていないと判定した場合（ステップ６１０においてＮｏ）、検知部５２０で衣服型ウェアラブルデバイス１００が検知されているかを判定する（図１３ステップ６５０）。なお、この場合、ハンガーラック４００から電力供給されていないのであるから、電源装置５３０は、二次電池５４０に蓄積されている電力で動作することになる。
【００７７】
制御部２３２は、検知部５２０が衣服型ウェアラブルデバイス１００の存在を検知している場合（ステップ６５０においてＹｅｓ）、衣服型ウェアラブルデバイス１００への給電に十分な電力が二次電池５４０に蓄積されているかを判定する（図１３ステップ６６０）。検知部５２０で衣服型ウェアラブルデバイス１００の存在が検知されていない場合には、ステップ６１０に戻る。
【００７８】
制御部２３２は、衣服型ウェアラブルデバイス１００への給電に十分な電力が二次電池５４０に蓄積されている場合（ステップ６６０においてＹｅｓ）、二次電池５４０に蓄積された電力を給電部５１０に供給するよう電源装置５３０の電源回路２３１を制御する（図１３ステップ６７０）。このとき、電源回路２３１は、二次電池５４０の電圧を適宜変換して、給電部５１０に適した仕様の電圧を与えるようにしてもよい。
【００７９】
こうして、給電部５１０に電力が供給されることにより、給電部５１０から衣服型ウェアラブルデバイス１００の受電装置１１０に非接触で電力が送電され、受電装置１１０で受電した電力で衣服型ウェアラブルデバイス１００の二次電池１２０が充電される。
【００８０】
制御部２３２は、衣服型ウェアラブルデバイス１００の二次電池１２０が満充電になったかどうかを判定するが（ステップ６８０）、このステップ６８０の処理は上記の説明のとおりである。また、ステップ６６０において二次電池５４０に十分な電力が蓄積されていない場合には、ステップ６１０に戻る。
【００８１】
以上のような電力供給の処理により、本実施の形態では、ハンガーラック４００にハンガー５００が吊着されており、かつ衣服型ウェアラブルデバイス１００がハンガー４００に吊り下げられている場合は、ハンガーラック４００およびハンガー５００を経由して商用電源からの電力で二次電池１２０を充電することができ、ハンガーラック４００にハンガー５００が吊着されており、かつ衣服型ウェアラブルデバイス１００がハンガー２００に吊り下げられていない場合は、商用電源からの電力でハンガー５００の二次電池５４０を充電することができ、ハンガーラック４００にハンガー５００が吊着されておらず、かつ衣服型ウェアラブルデバイス１００がハンガー５００に吊り下げられており、二次電池５４０に電力が蓄積されている場合は、二次電池５４０からの電力で二次電池１２０を充電することができる。
【００８２】
本実施の形態では、第１の実施の形態と同様の効果を得ることができると共に、ハンガーラック４００に電源装置４１０を設けることにより、ハンガー５００の電源装置５３０の電源回路２３１を簡略化することができる。
【００８３】
［第３の実施の形態］
次に、本発明の第３の実施の形態について説明する。図１４は本発明の第３の実施の形態に係るハンガー７００の構成を説明する外観図である。衣服型ウェアラブルデバイス１００については、第１の実施の形態と同等のものを用いることができるので、図１〜図４の符号を用いて説明する。
【００８４】
本実施の形態のハンガー７００は、衣服型ウェアラブルデバイス１００に備えられた受電装置１１０に非接触で送電することが可能な給電部７１０と、ハンガー７００に衣服型ウェアラブルデバイス１００が掛けられたことを検知する検知部７２０と、発電部７３０と、発電部７３０で発電された電力を給電部７１０に供給すると共に、後述する二次電池７５０を充電するための電源装置７４０と、電源装置７４０から供給される電力を蓄積し、電源装置７４０からの電力の供給がないときに給電部７１０へ電力を供給するための二次電池７５０と、給電部７１０から受電装置１１０への送電に必要なハンガー７００と衣服１０１との位置関係の目安を示す目印であるマーカー７６０とを備えている。
【００８５】
発電部７３０としては、公知のシリコン系、化合物系または有機系の太陽電池や、小型風力発電機、ゼーベック効果を利用した温度差発電機等のうち少なくとも１つを好適に用いることができる。一般に衣服を洗濯後、ハンガーに吊り下げて干す場合、晴天の日に風通しの良い場所に干すことが多い。またこの時、ハンガー内部において、直射日光があたる部分と、衣服の影となり直射日光が当たらない部分との温度差が大きくなる。これらの理由により、ハンガー７００に設ける発電部７３０としては、太陽光、風力、温度差を用いた発電を行うものが効率が良い。温度差発電を行う場合には、上記のとおりハンガー７００の直射日光があたる部分と直射日光が当たらない部分との温度差を利用することになる。
【００８６】
ここで、例えば発電部７３０がハンガー７００の上部に配置される場合、発電部７３０が干渉して、衣服型ウェアラブルデバイス１００をハンガー７００に掛けることが困難になる場合がある。この場合、ハンガー７００の肩部を折り曲げ可能または伸縮可能な構造にすると、衣服型ウェアラブルデバイス１００をハンガー７００に掛けることが容易になる。
【００８７】
第１の実施の形態の図９と同様に、衣服型ウェアラブルデバイス１００をハンガー７００に掛けると、ハンガー７００から衣服型ウェアラブルデバイス１００に電力を供給することが可能になる。
二次電池７５０としては、水系電解質、非水系電解質、高分子個体電解質などを用いた既知の二次電池を特に制限なく用いることができる。
【００８８】
次に、本実施の形態の電力供給の処理を図１５のフローチャートを用いて説明する。本実施の形態においても、電源装置７４０の構成は、第１の実施の形態の電源装置２３０と同様であるので、図８の符号を用いて説明する。
【００８９】
まず、ハンガー７００の電源装置７４０の制御部２３２は、ハンガー７００の発電部７３０が発電しているかを判定する（図１５ステップ８１０）。制御部２３２は、発電部７３０から電源電圧の供給を受けると、発電部７３０が発電していると判定する。
【００９０】
制御部２３２は、発電部７３０が発電している場合（ステップ８１０においてＹｅｓ）、検知部７２０で衣服型ウェアラブルデバイス１００が検知されているかを判定する（図１５ステップ８２０）。検知部７２０の構成は、第１の実施の形態の検知部２２０と同様である。
【００９１】
制御部２３２は、検知部７２０が衣服型ウェアラブルデバイス１００の存在を検知している場合（ステップ８２０においてＹｅｓ）、発電部７３０から得た電力を給電部７１０に供給するよう電源装置７４０の電源回路２３１を制御する（図１５ステップ８３０）。このとき、電源回路２３１は、発電部７３０から供給される電源電圧を適宜変換して、給電部７１０に適した仕様の電圧を与えるようにしてもよい。
【００９２】
こうして、給電部７１０に電力が供給されることにより、給電部７１０から衣服型ウェアラブルデバイス１００の受電装置１１０に非接触で電力が送電され、受電装置１１０で受電した電力で衣服型ウェアラブルデバイス１００の二次電池１２０が充電される。第１の実施の形態で説明したとおり、受電装置１１０の充電回路１１２は、給電部７１０からの給電によって受電回路１１１で得られた電圧を適宜変換して、二次電池１２０に適した仕様の電圧を与えるようにしてもよい。
【００９３】
電源装置７４０の制御部２３２は、衣服型ウェアラブルデバイス１００の二次電池１２０が満充電になったかどうかを判定し（図１５ステップ８８０）、二次電池１２０が満充電になったとき、給電部７１０への電力供給を停止するよう電源装置７４０の電源回路２３１を制御する。このステップ８８０の処理は図１０のステップ３８０と同じである。二次電池１２０が満充電になっていないときは、ステップ８１０に戻る。
【００９４】
一方、電源装置７４０の制御部２３２は、検知部７２０で衣服型ウェアラブルデバイス１００の存在が検知されていない場合（ステップ８２０においてＮｏ）、発電部７３０から得た電力で二次電池７５０を充電するよう電源装置７４０の電源回路２３１を制御する（図１５ステップ８４０）。このとき、電源回路２３１は、発電部７３０から供給される電源電圧を適宜変換して、二次電池７５０に適した仕様の電圧を与えるようにしてもよい。
【００９５】
制御部２３２は、二次電池７５０が満充電になったとき（図１５ステップ８９０においてＹｅｓ）、二次電池７５０の充電を停止させる。二次電池７５０が満充電になっていないときは、ステップ８１０に戻る。
【００９６】
また、制御部２３２は、発電部７３０が発電していないか、あるいは発電が不十分の場合（ステップ８１０においてＮｏ）、検知部７２０で衣服型ウェアラブルデバイス１００が検知されているかを判定する（図１５ステップ８５０）。なお、この場合、発電部７３０から電力供給されていないのであるから、電源装置７４０は、二次電池７５０に蓄積されている電力で動作することになる。
【００９７】
制御部２３２は、検知部７２０が衣服型ウェアラブルデバイス１００の存在を検知している場合（ステップ８５０においてＹｅｓ）、衣服型ウェアラブルデバイス１００への給電に十分な電力が二次電池７５０に蓄積されているかを判定する（図１５ステップ８６０）。検知部７２０で衣服型ウェアラブルデバイス１００の存在が検知されていない場合には、ステップ８１０に戻る。
【００９８】
制御部２３２は、衣服型ウェアラブルデバイス１００への給電に十分な電力が二次電池７５０に蓄積されている場合（ステップ８６０においてＹｅｓ）、二次電池７５０に蓄積された電力を給電部７１０に供給するよう電源装置７４０の電源回路２３１を制御する（図１５ステップ８７０）。このとき、電源回路２３１は、二次電池７５０の電圧を適宜変換して、給電部７１０に適した仕様の電圧を与えるようにしてもよい。
【００９９】
こうして、給電部７１０に電力が供給されることにより、給電部７１０から衣服型ウェアラブルデバイス１００の受電装置１１０に非接触で電力が送電され、受電装置１１０で受電した電力で衣服型ウェアラブルデバイス１００の二次電池１２０が充電される。
【０１００】
制御部２３２は、衣服型ウェアラブルデバイス１００の二次電池１２０が満充電になったかどうかを判定するが（ステップ８８０）、このステップ８８０の処理は上記の説明のとおりである。また、ステップ８６０において二次電池７５０に十分な電力が蓄積されていない場合には、ステップ８１０に戻る。
【０１０１】
以上のような電力供給の処理により、本実施の形態では、発電部７３０で発電されており、かつ衣服型ウェアラブルデバイス１００がハンガー４００に吊り下げられている場合は、発電部７３０で発電された電力で二次電池１２０を充電することができ、発電部７３０で発電されており、かつ衣服型ウェアラブルデバイス１００がハンガー４００に吊り下げられていない場合は、発電部７３０からの電力でハンガー７００の二次電池７５０を充電することができ、発電部７３０で発電されておらず、かつ衣服型ウェアラブルデバイス１００がハンガー７００に吊り下げられており、二次電池７５０に電力が蓄積されている場合は、二次電池７５０からの電力で二次電池１２０を充電することができる。
【０１０２】
本実施の形態では、第１の実施の形態と同様の効果を得ることができると共に、発電部７３０を設けることにより、化石燃料等の限りある資源を用いずとも衣服型ウェアラブルデバイス１００の二次電池１２０を充電することができる。
【０１０３】
第１〜第３の実施の形態における受電装置１１０の制御部１１３、電源装置２３０，５３０，７４０の制御部２３２の各々は、それぞれＣＰＵ（Central Processing Unit）、メモリ及びインタフェースを備えたコンピュータと、これらのハードウェア資源を制御するプログラムによって実現することができる。各々の装置のＣＰＵは、各々のメモリに格納されたプログラムに従って第１〜第３の実施の形態で説明した処理を実行する。
【産業上の利用可能性】
【０１０４】
本発明は、電子機器と電子機器への電力供給のための二次電池とを備えた衣服型ウェアラブルデバイスに適用することができる。
【符号の説明】
【０１０５】
１０…着用者身体、１００…衣服型ウェアラブルデバイス、１０１…衣服、１１０…受電装置、１１１…受電回路、１１２…充電回路、１１３，２３２…制御部、１２０…二次電池、１３０…防水層、１４０…携帯型電子機器、１５０…コネクタ、１６０…電磁シールド部、１７０…固定補助布、１８０…蓋、１９０…端子、２００，５００，７００…ハンガー、２１０，５１０，７１０…給電部、２２０，５２０，７２０…検知部、２３０，４１０，５３０，７４０…電源装置、２３１…電源回路、２４０，４２０…電源プラグ、２５０，５４０，７５０…二次電池、２６０，５５０，７６０…マーカー、４３０ａ，４３０ｂ…電源端子、５５０ａ，５５０ｂ…入力端子、７３０…発電部。
【図１】
2016213915.tif 000003
【図２】
2016213915.tif 000004
【図３】
2016213915.tif 000005
【図４】
2016213915.tif 000006
【図５】
2016213915.tif 000007
【図６】
2016213915.tif 000008
【図７】
2016213915.tif 000009
【図８】
2016213915.tif 000010
【図９】
2016213915.tif 000011
【図１０】
2016213915.tif 000012
【図１１】
2016213915.tif 000013
【図１２】
2016213915.tif 000014
【図１３】
2016213915.tif 000015
【図１４】
2016213915.tif 000016
【図１５】
2016213915.tif 000017